(57)【要約】【課題】本発明は、部品点数が少なくて組立作業性の良い低コストの多方向入力装置を提供すること。【解決手段】本発明の多方向入力装置は、第１の回動部材２３と直交する方向に配設された回動が可能な第２の回動部材２４と、第１、第２の回動部材２３、２４を回動可能に架設するフレーム１と、第１、第２の回動部材２３、２４のそれぞれの長溝２３ａ、２４ａに挿通されると共に、傾倒操作により第１、第２の回動部材２３、２４を回動操作可能な操作軸２２とを備え、第１、第２回動部材２３、２４には、第１、第２の回動部材２３、２４の回動に連動して回転可能な回転板２をそれぞれ軸止し、回転板２の回転角度および回転方向を検出可能な回転検出部材３、４を、それぞれの回転板２の外周面に形成したカム面２ｂに弾接させて配設した。【選択図】　　　　図１
2004111346.tif 000002
【特許請求の範囲】
【請求項１】
回動可能で長溝を有する第１の回動部材と、この第１の回動部材と直交する方向に配設された回動が可能で長溝を有する第２の回動部材と、前記第１、第２の回動部材を回動可能に架設する空洞部を有するフレームと、前記第１、第２の回動部材のそれぞれの長溝に挿通されると共に、傾倒操作により前記第１、第２の回動部材を回動操作可能な操作軸とを備え、
前記第１、第２の回動部材の前記フレームに架設する両端部の少なくとも互いに隣り合う一方側には、前記第１、第２の回動部材の回動に連動して回転可能な回転板をそれぞれ形成し、前記回転板の回転角度および回転方向を検出可能な回転検出部材を、前記それぞれの回転板の外周面に弾接させて配設したことを特徴とする多方向入力装置。
【請求項２】
前記回転板の前記外周面は、回転中心からの寸法が異なるカム面からなり、前記操作軸の前記傾倒操作により前記第１、第２の回動部材を介して前記回転板が回転すると、前記回転検出部材に弾接する前記カム面の位置が変化するようにしたことを特徴とする請求項１記載の多方向入力装置。
【請求項３】
前記回転板の前記カム面は、扇状に形成された中央部から左右対称に形成され、前記回転中心から前記カム面までの前記寸法は、前記中央部から左右端部に行くに従って、徐々に大きく形成されていることを特徴とする請求項２記載の多方向入力装置。
【請求項４】
前記回転検出部材は、互いに対向する一方と他方のＦＰＣ（フレキシブルプリント基板）を有し、前記一方のＦＰＣの対向面には、所定形状の抵抗体パターンを形成し、前記他方のＦＰＣには、前記抵抗体パターンと対向する位置に導電パターンを形成したことを特徴とする請求項１乃至３のいずれかに項記載の多方向入力装置。
【請求項５】
前記操作軸が直立状態の中立位置にあるときは、前記カム面の前記中央部が前記回転検出部材に弾接して、前記導電パターンの中央部と前記抵抗体パターンの中央部とが当接するようにしたことを特徴とする請求項４記載の多方向入力装置。
【請求項６】
前記一方と他方のＦＰＣは、１枚のＦＰＣを折り返して互いに対向させて形成し、互いに対向する面に前記抵抗体パターンと前記導電パターンとを形成したことを特徴とする請求項４、または５記載の多方向入力装置。
【請求項７】
前記１枚のＦＰＣの折り返し部分にスリット溝を形成したことを特徴とする請求項６記載の多方向入力装置。
【請求項８】
前記回転検出部材は、前記一方と他方のＦＰＣの間に開口部を有するスペーサ部材を配設し、前記開口部内に互いに対向させて前記抵抗体パターンと前記導電パターンとを位置させたことを特徴とする請求項４乃至７のいずれかに記載の多方向入力装置。
【請求項９】
前記回転検出部材は、弾性変形可能な弾性部材上に載置したことを特徴とする請求項１乃至８のいずれか１項記載の多方向入力装置。
【請求項１０】
前記弾性部材は板バネからなることを特徴とする請求項９記載の多方向入力装置。
【請求項１１】
前記スペーサ部材は、所定厚さのレジスト層からなることを特徴とする請求項８乃至１０のいずれかに記載の多方向入力装置。
【請求項１２】
前記回転板は、前記第１、第２の回動部材に一体形成されていることを特徴とする請求項１乃至３のいずれかに記載の多方向入力装置。
【請求項１３】
前記第１、第２の回動部材は、それぞれの両端部に回転軸が形成され、この回転軸が前記フレームに形成した軸受け部に支持されて回転自在となっており、前記軸受け部は、前記フレーム側に形成して前記回転軸の上部側を支持可能なＵ字溝と、前記フレームの前記空洞部の下方を遮蔽する遮蔽板の一部を突出形成して前記回転軸の下部側を支持可能な支持突起部とからなることを特徴とする請求項１乃至１２のいずれかに記載の多方向入力装置。
【請求項１４】
前記支持突起部は、前記回転軸が接する部分をＵ字状に形成したことを特徴とする請求項１３記載の多方向入力装置。
【発明の詳細な説明】
【０００１】
【発明の属する技術分野】
本発明は、操作軸の傾倒方向及び傾倒量を高精度に検出可能な多方向入力装置に関する。
【０００２】
【従来の技術】
従来の多方向入力装置は図１３に示すように、箱形のフレーム２１の空洞内部に設けられた支点（図示せず）に一端部が支持され、この支点を中心としてフレーム２１から上方に突出する他端部側を傾動操作可能な円柱状の操作軸２２が配設されている。
また、ケース２１内には略半円弧状の第１、第２の回動部材２３、２４が回動可能に支持されている。この第１、第２の回動部材２３、２４は、互いに直交して上下に交差した状態でフレーム２１内部に架設されている。
前記２つの回動部材２３、２４には、それぞれ長手方向に沿って貫通形成されたスリット状の長穴２３ａ、２４ａが形成され、上方に位置する第１の回動部材２３の長穴２３ａに操作軸２２が挿通され、下方に位置する第２の回動部材２４の長穴２４ａ内部に操作軸２２の一部が軸支され、この軸支部分を支点として操作軸２が、第２の回動部材２４の長穴２４ａに沿って傾動可能になっている。
【０００３】
また、フレーム２１の外周側の側板２５、２５には可変抵抗器２６、２７が取り付けられており、この可変抵抗器２６、２７の回転軸（図示せず）は、第１、第２の回動部材２３、２４の互いに隣り合う一端部側に連結されている。
そして、操作軸２２を傾動操作して、第１、第２の回動部材２３、２４が回動することにより、可変抵抗器２６、２７が回転して抵抗値が可変するようになっている。
前記２個の可変抵抗器２６、２７の抵抗値の変化量によって、操作軸２２の傾倒角度、および傾倒方向を検出可能になっている。
【０００４】
【特許文献１】
特開平６−０５３０１５号公報
特開２０００−０４０６０５号公報
特開２００１−１７６７０７号公報
【０００５】
【発明が解決しようとする課題】
しかし、前述したような従来の多方向入力装置では、部品点数の多い可変抵抗器２６、２７を取り付けていたのでコストアップになっていた。
また、可変抵抗器２６、２７を側板２５に取り付ける作業が複雑となり、組立効率が悪いという問題があった。
本発明は前述したような問題点に鑑みてなされたもので、部品点数が少なくて組立作業性の良い低コストの多方向入力装置を提供することを目的とする。
【０００６】
【課題を解決するための手段】
前記課題を解決するするための第１の手段として本発明の多方向入力装置は、回動可能で長溝を有する第１の回動部材と、この第１の回動部材と直交する方向に配設された回動が可能で長溝を有する第２の回動部材と、前記第１、第２の回動部材を回動可能に架設するフレームと、前記第１、第２の回動部材のそれぞれの長溝に挿通されると共に、傾倒操作により前記第１、第２の回動部材を回動操作可能な操作軸とを備え、
前記第１、第２の回動部材の前記フレームに架設する両端部の少なくとも互いに隣り合う一方側には、前記第１、第２の回動部材の回動に連動して回転可能な回転板をそれぞれ形成し、前記回転板の回転角度および回転方向を検出可能な回転検出部材を、前記それぞれの回転板の外周面に弾接させて配設したことを特徴とする。
【０００７】
また、前記課題を解決するするための第２の手段として、前記回転板の前記外周面は、回転中心からの寸法が異なるカム面からなり、前記操作軸の前記傾倒操作により前記第１、第２の回動部材を介して前記回転板が回転すると、前記回転検出部材に弾接する前記カム面の位置が変化するようにしたことを特徴とする。
【０００８】
また、前記課題を解決するするための第３の手段として、前記回転板の前記カム面は、扇状に形成された中央部から左右対称に形成され、前記回転中心から前記カム面までの前記寸法は、前記中央部から左右端部に行くに従って、徐々に大きく形成されていることを特徴とする。
【０００９】
また、前記課題を解決するするための第４の手段として、前記回転検出部材は、互いに対向する一方と他方のＦＰＣ（フレキシブルプリント基板）を有し、前記一方のＦＰＣの対向面には、所定形状の抵抗体パターンを形成し、前記他方のＦＰＣには、前記抵抗体パターンと対向する位置に導電パターンを形成したことを特徴とする。
【００１０】
また、前記課題を解決するするための第５の手段として、前記操作軸が直立状態の中立位置にあるときは、前記カム面の前記中央部が前記回転検出部材に弾接して、前記導電パターンの中央部と前記抵抗体パターンの中央部とが当接するようにしたことを特徴とする。
【００１１】
また、前記課題を解決するするための第６の手段として、前記一方と他方のＦＰＣは、１枚のＦＰＣを折り返して互いに対向させて形成し、互いに対向する面に前記抵抗体パターンと前記導電パターンとを形成したことを特徴とする。
【００１２】
また、前記課題を解決するするための第７の手段として、前記１枚のＦＰＣの折り返し部分にスリット溝を形成したことを特徴とする。
【００１３】
また、前記課題を解決するするための第８の手段として、前記回転検出部材は、前記一方と他方のＦＰＣの間に開口部を有するスペーサ部材を配設し、前記開口部内に互いに対向させて前記抵抗体パターンと前記導電パターンとを位置させたことを特徴とする。
【００１４】
また、前記課題を解決するするための第９の手段として、前記回転検出部材は、弾性変形可能な弾性部材上に載置したことを特徴とする。
【００１５】
また、前記課題を解決するするための第１０の手段として、前記弾性部材は板バネからなることを特徴とする。
【００１６】
また、前記課題を解決するための第１１の手段として、前記スペーサ部材は、所定厚さのレジスト層からなることを特徴とする。
【００１７】
また、前記課題を解決するための第１２の手段として、前記回転板は、前記第１、第２の回動部材に一体形成されていることを特徴とする。
【００１８】
また、前記課題を解決するための第１３の手段として、前記第１、第２の回動部材は、それぞれの両端部に回転軸が形成され、この回転軸が前記フレームに形成した軸受け部に支持されて回転自在となっており、前記軸受け部は、前記フレーム側に形成して前記回転軸の上部側を支持可能なＵ字溝と、前記フレームの前記空洞部の下方を遮蔽する遮蔽板の一部を突出形成して前記回転軸の下部側を支持可能な支持突起部とからなることを特徴とする。
【００１９】
【発明の実施の形態】
本発明の多方向入力装置の第１の実施の形態を図１〜８に基づいて説明し、第２の実施の形態を図９〜図１１に基づいて説明する。
まず、図１は本発明に関する多方向入力装置の斜視図であり、図２は本発明に係わるＦＰＣの平面図であり、図３は本発明に係わる一方の回転検出部材を説明する要部拡大図であり、図４は本発明に係わるスペーサの平面図であり、図５は本発明に係わる板バネの平面図であり、図６は本発明に係わる一方の回転検出部材の構成を説明する要部断面であり、図７、８は本発明に係わる回転検出部材の動作を説明する要部断面図であり、図９は本発明の第２の実施の形態の多方向入力装置の斜視図であり、図１０は本発明に係わる回動部材の斜視図であり、図１１は図９の分解斜視図であり、図１２は第２の実施所の形態に係わる回転検出部材の要部断面図である。
【００２０】
本発明の多方向入力装置は、従来の技術で説明したものと同じ部品を部分的に用いているので、従来の技術と同じものについては、同じ番号を付して説明する。
まず、本発明の多方向入力装置は、図１に示すように、内部に空洞部が形成された樹脂材料等からなる箱形のフレーム１が配設されている。このフレーム１は、空洞部上方に天板１ａが配設されており、この天板１ａは、円形状の開口部１ｂが形成されて空洞部の上方が開放されている。
また、フレーム１の外周部は側壁１ｃで囲まれており、互いに隣り合う側壁１ｃ、１ｃの外周部の下部側で隅部からは、所定厚さの鍔部１ｄ、１ｄが外方に向けて突出形成されており、この鍔部１ｄ、１ｄに挟まれた部分に、幅寸法Ａの開放部１ｅが形成されている。また、フレーム１内部の空洞部は、下方が遮蔽板（図示せず）で遮蔽されている。
【００２１】
前記フレーム１の開口部１ｂには、金属等からなる例えば円柱状の操作軸２２の一端部側が上方に突出して配設されている。前記操作軸２２は、他端部側がフレーム１内部の空洞部の下方を遮蔽する遮蔽板に形成した支持部に支持されて、開口部１ｂから上方に突出する一端部側が傾動可能になっている。
また、フレーム１の空洞部内には、略半円弧状の第１、第２の回動部材２３、２４が支持されている。この第１、第２の回動部材２３、２４は、互いに直交して上下に交差しており、それぞれ両端部に形成した回転軸２３ｂ、２４ｂが側壁１ｃ、１ｃに形成した丸穴状の軸受け部（図示せず）に橋渡しされて架設されている。
【００２２】
前記第１、第２の回動部材２３、２４には、それぞれ長手方向に沿って貫通形成されたスリット状の長穴２３ａ、２４ａが互いに直交する方向に形成されている。そして、上方に位置する第１の回動部材２３の長穴２３ａに操作軸２２が挿通され、下方に位置する第２回動部材２４の長穴２４ａ内部に操作軸２２の一部が軸支され、この軸支部分を支点として操作軸２２が、第２の回動部材２４の長穴２４ａに沿って矢印Ｂ方向に傾動可能になっている。
【００２３】
前記操作軸２２を矢印Ｂ方向に傾動操作することにより、この傾動に連動して第１の回動部材２３が回動し、回転軸２３ｂが回転するようになっている。
また、操作軸２２は、第１の回動部材２３の長穴２３ａに沿って、矢印Ｃ方向に傾動操作することにより、この傾動に連動して第２の回動部材２４が回動して、回転軸２４ｂが回転するようになっている。
【００２４】
また、互いに隣り合う側壁１ｃ、１ｃに支持された回転軸２３ｂ、２４ｂは、側壁１ｃから外方に突出しており、この突出部分には、軸止穴２ａが圧入、または接着剤等により回転板２が軸止されている。そして、第１、第２の回動部材２３、２４の回動に連動して回転板２が回転可能になっている。
この回転板２は、図７に示すように、外周面の形状が扇状をなし、回転中心である回転軸２３ｂ、２４ｂからの寸法が異なる円弧状のカム面２ｂが形成されている。このカム面２ｂは、扇状の外周面の中央部（中心線Ｄ）から左右対称に形成されている。そして、回転中心である回転軸２３ｂからカム面２ｂまでの寸法は、中心線Ｄの中央部から左右端部２ｃ、２ｄに行くに従って、徐々に大きく形成されている。
【００２５】
また、第１の回動板２３に軸止された回転板２のカム面２ｂには、一方の回転検出部材３が弾接し、第２の回動板２４に軸止された回転板２のカム面２ｂには、他方の回転検出部材４が弾接して、それぞれの回転板２の回転角度および回転方向を検出可能になっている。
前記一方と他方の回転検出部材３、４は、図２に示すような、１枚のＦＰＣ（フレキシブルプリント基板）５に形成されており、このＦＰＣ５は、図２に示すように、上端部に複数のコネクタ部５ａが形成され、下方側にフレーム１の側壁１ｃ、１ｃ部分が挿通可能な開口部５ｂが形成されている。
また、ＦＰＣ５は、コネクタ部５ａから下方の開口部５ｂ側にかけて、パターン状の導電体５ｃが引き回し形成されている。
【００２６】
そして、一方の回転検出部材３は、開口部５ｂの下部側に位置する内側辺近傍のＦＰＣ５に形成され、他方の回転検出部材４は、一方の回転検出部材３と直交する方向で隣り合う図示右側のＦＰＣ５に形成されている。
前記一方の回転検出部３は、図３に示すように、開口部５ｂの下部側に位置する内側辺近傍に抵抗体形成部５ｄが形成され、この抵抗体形成部５ｄには、黒く塗りつぶしたカーボンパターン６ａと、このカーボンパター６ａに隣接して平行に形成した銀とカーボンを混合して形成した導体パターン６ｂとからなる抵抗体パターン６が印刷等で形成されている。
【００２７】
また、抵抗体パターン６を形成した抵抗体形成部５ｄの図示下方側には、所定の幅寸法と長さ寸法のスリット溝５ｅが形成され、このスリット溝５ｅを挟んで矩形状の導電体形成部５ｇが形成されている。
この導電体形成部５ｇは、スリット溝５ｅを構成する一対の幅狭状の連結部５ｆ、５ｆに連結されて、折り返し線Ｅから抵抗体形成部５ｄ側に折り返し可能になっている。
前記導電体形成部５ｇには、銀パターン等からなる幅広の導電パターン７が形成されており、導電体形成部５ｇを折り返し線Ｅから抵抗体パターン６上に重ねるように折り返すことにより、導電パターン７が抵抗体パターン６に接触可能になっている。
前記導電パターン７が抵抗体パターン６に接触することにより、カーボンパターン６ａと導体パターン６ｂとが導電パターン７を介して導通可能になっている。
【００２８】
即ち、一方の回転検出部材３は、互いに対向する一方と他方のＦＰＣである抵抗体形成部５ｄと導電体形成部５ｇとを有し、一方のＦＰＣである抵抗体形成部５ｄの対向面には、所定形状の抵抗体パターン６を形成し、他方のＦＰＣである導電体形成部５ｇには、折り返し線Ｅから折り返した状態で、抵抗体パターン６と対向する位置に導電パターン７を形成している。
このような一方の回転出検出部材３を形成したＦＰＣ５をフレーム１の鍔部１ｄに取り付けるために、抵抗体パターン６の外側の抵抗体形成部５ｄに一対の取付穴５ｈを形成している。
そして、フレーム１の鍔部１ｄに形成した取付突起（図示せず）に取付穴５ｈを嵌合させることにより、ＦＰＣ５がフレーム１に位置決めされて取り付けられるようになっている。
【００２９】
また、ＦＰＣ５には、図２に示す一方の回転検出部材３と直交する方向に隣り合う部分に、他方の回転検出部材４が形成されいるが、この他方の回転検出部材４の構成は一方の回転検出部材３と同じなので、それぞれの部材の説明は、一方の回転検出部材３と同じ番号を付して詳細な説明は省略する。
まず、他方の回転検出部材４は、抵抗体パターン６を形成した抵抗体形成部５ｄと、この抵抗体形成部５ｄにスリット溝５ｅを介して一対の連結部５ｆ、５ｆに連結された導電体形成部５ｇが開口部５ｂ内にはみ出して形成されている。
前記他方の回転検出部材４の導電体形成部５ｇには、導電パターン７が形成され、一方の回転検出部材３と同様に、導電体形成部５ｇを折り返し線Ｅから折り返して、抵抗体パターン６上に重ねることにより、導電パターン７が抵抗体パターン６に接触可能になっている。
【００３０】
前述したような、一方と他方の回転検出部材３、４は、図６に示すように、連結部５ｆから折り返した抵抗体形成部５ｄと導電体形成部５ｇとの間に、互いに対向する抵抗体パターン６と導電パターン７とを所定のギャップで離間させるためのスペーサ部材８が配設されている。
このスペーサ部材８は、例えば樹脂フィルム材料等からなり、図４に示すように、外形が矩形状に形成され、内側に矩形状の開口部８ａが形成されている。
この開口部８ａの図示左右の外側には、一対の取付穴８ｂが形成されて、フレーム１の鍔部１ｄに形成した取付突起（図示せず）に嵌合させることにより取付可能になっている。
そして、ＦＰＣ５の抵抗体形成部５ｄと導電体形成部５ｇとを折り返した間に、スペーサ部材８を挟むと、開口部８ａ内に抵抗体パターン６と導電パターン７とが、所定のギャップを有して互いに対向して位置するようになっている。
【００３１】
また、図１に示すフレーム１のそれぞれの鍔部１ｄ上には、開放部１ｅを跨いで、弾性部材であるステンレス板等からなる板バネ９が橋渡しされて配設されている。
前記板バネ９は、図５に示すように、略Ｌ字状に形成されて、基部９ａから図示左方向に延びる第１腕部９ｂと、基部９ａから図示上方に延びる第２腕部９ｃとが設けられている。
また、基部９ａには、フレーム１の鍔部１ｄに形成した取付突起（図示せず）に嵌合可能な位置決め穴９ｄが形成され、第２腕部９ｃの先端部には位置決め溝９ｅが形成されている。
【００３２】
そして、フレーム１の鍔部１ｄ上に橋渡しされて配設された板バネ９は、第１腕部９ｂ上に一方の回転検出部材３が、第２腕部９ｃ上に他方の回転部材４がそれぞれ載置されるようになっている。
前記板バネ９に載置した一方と他方の回転検出部材３、４は、板バネ９の弾性力でそれぞれ回転板２のカム面２ｂの中央部（中心線Ｄ）に弾接するようになっている。そして、操作軸２２は、傾倒操作しない初期状態において、板バネ９およびフレーム１の空洞部内のコイルバネ（図示せず）により、直立状態の中立位置に自動復帰可能になっている。
【００３３】
このような本発明の第１の実施に形態の多方向入力装置の操作を、一方の回転検出部材３側で説明すると、まず、操作軸２２が直立状態の中立位置にある初期状態においては、図７に示すように、回転板２のカム面２ｂの中央部（中心線Ｄ）が他方のＦＰＣである導電体形成部５ｇ上に弾接している。
そのために、カム面２ｂの弾接部分である導電体形成部５ｇが下方に撓んで、導電パターン７の中央部が抵抗体パターン６の中央部に当接している。
【００３４】
このような初期状態から、操作軸２２を矢印Ｂ方向に傾倒操作すると、第１の回動部材２３が回動して、回転軸２３ｂに軸止した回転板２が回転する。
このような回転板２を、図８に示すように、矢印Ｆの反時計回り方向に回転させると、導電体形成部５ｇに弾接するカム面２ｂの位置が図示左方向に移動する。
このことにより、導電パターン７と抵抗体パターン６との当接位置も図示左側に移動して、抵抗体パターン６の抵抗値が変化する。
この抵抗値の変化によって、一方の回転検出部材３によって回転板２の回転角度および回転方向を検出するようになっている。
前記一方の回転検出部材３が回転板２の回転角度および回転方向を検出することにより、操作軸２２の矢印Ｂ方向の傾倒角度、および傾倒方向をＩＣ等からなる制御部（図示せず）が検出して、例えばゲーム機等のディスプレー上の画像等を所望の位置に入力可能になっている。
【００３５】
また、他方の回転検出部材４を操作するには、操作軸２２を矢印Ｃ方向に傾倒操作すると、操作軸２２は第１の回動部材２３の長穴２３ａに沿って傾倒して、第２の回動部材２４が回動する。この第２の回動部材２４の回動で、第２の回動部材２４の回転軸２４ｂに軸止した回転板２が回転する。
そして、他方の回転検出部材４の抵抗値変化で操作軸２２の矢印Ｃ方向の傾倒角度および傾倒方向を検出可能になっている。
【００３６】
このような本発明の第１の実施の形態の多方向入力装置の操作軸２２の操作は、矢印Ｂ、Ｃの直交する方向だけでなく、任意の方向に傾動操作可能とおり、この場合は、第１、第２の開土部材２３、２４の両方が回動して、それぞれの回転板２、２が回転する。
そして、一方と他方の回転検出部材３、４の抵抗値変化によって、任意の方向に傾倒操作した操作軸２２の傾倒角度および傾倒方向を検出可能になっている。
また、本発明の第１の実施の形態の説明では、一方と他方の回転検出部材３、４を載置する弾性部材を板バネ９で説明したが、弾性部材は板バネ９に限定されず、ゴム等でも良い。
【００３７】
また、回転板２のカム面２ｂは、扇状の外周面の中央部（中心線Ｄ）から左右対称に形成したもので説明したが、左右対称でなくても良い。
即ち、回転板２の外周面は、回転中心からの寸法が異なるカム面からなり、操作軸２２の傾倒操作により第１、第２の回動部材２３、２４を介して回転板２が回転すると、一方および他方の回転検出部材３、４に弾接するカム面２ｂの位置が変化するようにしたものでも良い。
【００３８】
また、本発明の第２の実施の形態の多方向入力装置を図９〜図１１に基づいて説明すると、フレーム１１は、内部に形成した空洞部の上方に天板１１ａが形成されており、この天板１１ａの略中央部には、円形状の開口部１１ｂが形成されて空洞部の上方が開放されている。
また、フレーム１１の外周部は側壁１１ｃで囲まれており、互いに隣り合う側壁１１ｃ、１１ｃには、後述する第１、第２の回動部材３３、３４を回転自在に支持可能なＵ字溝１１ｄ、１１ｄが所定深さで形成されている。
【００３９】
また、フレーム１１は、空洞部の下方を遮蔽する遮蔽板１３を有し、この遮蔽板１３は、図１１に示すように、フレーム１１の側板１１ｃに形成したＵ字溝１１ｄ、１１ｄが位置する部分に支持突起部１３ａ、１３ａが突出形成されている。　この支持突起１３ａ、１３ａは、先端がＵ字状に形成されて、第１、第２の回動部材３３、３４の回転軸３４ａ、３３ａを支持可能になっている。
そして、第１、第２の回動部材３３、３４の回転軸３４ａ、３３ａを支持突起１３ａ、１３ａに位置させた状態で、フレーム１１を遮蔽板１３に載置すると、Ｕ字溝１１ｄの天井部と支持突起１３ａの先端とで、それぞれの回転軸３３ａ、３４ａの軸受けが形成されるようになっている。
【００４０】
また、第２の回動部材３４は、金属からなり、図１０に示すように、ダイカスト加工等により、手前側の第１回転軸３４ａと奥側の第２回転軸３４ｂとが形成され、第１回転軸３４ａには、略扇状の回転板３４ｃが一体形成されている。
この回転板３４ｃのカム面３４ｄは、第１の実施の形態の回転板２のカム面２ｂと同じに形成され、このカム面３４ｄと板バネ９との間にＦＰＣ５に形成した他方の回転検出部材４（図示せず）が配設されて、回転板３４ｃの回転角度および回転方向を検出可能になっている。
【００４１】
また、第１の回動部材３３は、図９に示すように、回転板３３ｃが一体形成され、この回転板３３ｃのカム面３３ｄは、第２の回動軸３４の回転板３４ｃのカム面３４ｄと同じに形成され、カム面３３ｄと板バネ９との間にＦＰＣ５に形成した一方の回転検出部材３（図示せず）が配設されて、回転板３３ｃの回転角度および回転方向を検出可能になっている。
【００４２】
また、第２の実施の形態においては、第１の実施の形態で説明したスペーサ部材８がレジスト層１８からなるものでも良い。即ち、スペーサ部材８は、図２に示すように、所定形状の導電体５ｃ、抵抗体パターン６、導電パターン７をエッチング等で形成時に、それぞれのパターン上に残っているレジスト層を用いるものである。前記レジスト層１８は、図１２に示すように、導電パターン７および抵抗体パターン６を露出するための開口部１８ａがエッチング等により形成され、この開口部１８ａによって導電パターン７と抵抗体パターン６とが接触して導通可能になっている。
このように、スペーサ部材８をレジスト層１８で兼ねることにより、ＦＰＣ５にスペーサ８を一体形成することができ、部品点数を削減することができる。
【００４３】
このような第２の実施の形態の多方向入力装置は、第１、第２の回動部材３３、３４に回転板３３ｃ、３４ｃを一体形成しているので、第１の実施の形態の回転板２が別体のものより強度アップさせることができると共に、圧入または接着等の組立工数を削減できる。
また、遮蔽板１３の支持突起部１３ａとフレーム１１のＵ字溝１１ｄとで軸受けを形成することにより、遮蔽板１３の上からフレーム１１をかぶせるだけで、第１、第２の回動部材３３、３４を軸支することができる。
【００４４】
【発明の効果】
本発明の多方向入力装置は、回転板の回転角度および回転方向を検出可能な回転検出部材を、それぞれの回転板の外周面に弾接させて配設したので、回転検出部材が回転板の回転角度および回転方向を検出することにより、操作軸の傾倒角度および傾倒方向を検出することができ、部品点数が少なくてコストダウン可能な多方向入力装置を提供できる。
【００４５】
また、回転板の外周面は、回転中心からの寸法が異なるカム面からなり、操作軸の傾倒操作により第１、第２の回動部材を介して回転板が回転すると、回転検出部材に弾接するカム面の位置が変化するようにしたので、回転検出部材に形成した抵抗体パターンの抵抗値が変化して、操作軸の傾倒角度および傾倒方向を検出でき、部品点数が少なくて組立性に優れた多方向入力装置を提供できる。
【００４６】
また、回転板のカム面は、扇状に形成された中央部から左右対称に形成され、回転中心からカム面までの寸法は、中央部から左右端部に行くに従って、徐々に大きく形成されているので、操作軸の傾倒角度および傾倒方向を高精度に検出することができる。また、左右対称の回転板は製造が容易である。
【００４７】
また、互いに対向する一方のＦＰＣの対向面には、所定形状の抵抗体パターンを形成し、他方のＦＰＣには、抵抗体パターンと対向する位置に導電パターンを形成したので、抵抗体パターンの抵抗値を確実に変化させることができる。
【００４８】
また、操作軸が直立状態の中立位置にあるときは、カム面の中央部が回転検出部材に弾接して、導電パターンの中央部と抵抗体パターンの中央部とが当接するようにしたので、操作軸が中立位置にあるときの導電パターンと抵抗体パターンとの当接位置のバラツキを小さくすることができる高精度の多方向入力装置を提供できる。
【００４９】
また、一方と他方のＦＰＣは、１枚のＦＰＣを折り返して互いに対向させて形成し、互いに対向する面に抵抗体パターンと導電パターンとを形成したので、部品点数を削減してコストダウンが可能である。
【００５０】
また、１枚のＦＰＣの折り返し部分にスリット溝を形成したので、折り返し位置にバラツキが発生せず、組立が容易である。
【００５１】
また、回転検出部材は、一方と他方のＦＰＣの間に開口部を有するスペーサ部材を配設し、開口部内に互いに対向させて抵抗体パターンと導電パターンとを位置させので、回転板のカム面が弾接部分だけの抵抗体パターンと導電パターンとを導通させることができ、抵抗値のバラツキを小さくして、高精度な回転検出が可能となる。
【００５２】
また、回転検出部材は、弾性変形可能な弾性部材上に載置したので、抵抗体パターンと導電パターンとを確実に導通させることができる。
【００５３】
また、弾性部材は板バネからなるので、プレス等で打ち抜き形成することができ、板バネの製造が容易である。
【００５４】
また、スペーサ部材は、所定厚さのレジスト層からなるので、導電パターンおよび抵抗体パターンを形成するときのレジスト層をスペーサ部材とすることができ、スペーサ部材をＦＰＣに一体化することができる。
そのために、部品点数を削減してコストダウンすることができる。
【００５５】
また、回転板は、第１、第２の回動部材に一体形成されているので、部品点数を削減できる。
【００５６】
また、軸受け部は、フレーム側に形成して回転軸の上部側を支持可能なＵ字溝と、フレームの空洞部の下方を遮蔽する遮蔽板の一部を突出形成して回転軸の下部側を支持可能な支持突起部とからなるので、第１、第２の回動部材の組立が容易となる。
【００５７】
また、支持突起部は、回転軸が接する部分をＵ字状に形成したので、回転軸をガタなく確実に支持することができる。
【図面の簡単な説明】
【図１】本発明に関する多方向入力装置の斜視図である。
【図２】本発明に係わるＦＰＣの平面図である。
【図３】本発明に係わる一方の回転検出部材を説明する要部拡大図である。
【図４】本発明に係わるスペーサの平面図である。
【図５】本発明に係わる板バネの平面図である。
【図６】本発明に係わる一方の回転検出部材の構成を説明する要部断面である。
【図７】本発明に係わる回転検出部材の動作を説明する要部断面図である。
【図８】本発明に係わる回転検出部材の動作を説明する要部断面図である。
【図９】本発明の第２の実施の形態の多方向入力装置の斜視図である。
【図１０】愛２の実施の形態に係わる回動部材の斜視図である。
【図１１】図９の分解斜視図である。
【図１２】第２の実施所の形態に係わる回転検出部材の要部断面図である。
【図１３】従来の多方向入力装置の斜視図。
【符号の説明】
１　フレーム
１ｄ　鍔部
１ｅ　開放部
２　回転板
２ｂ　カム面
３　一方の回転検出部材
４　他方の回転検出部材
５　ＦＰＣ
５ｄ　抵抗体形成部
５ｅ　スリット溝
５ｆ　連結部
５ｇ　導電体形成部
６　抵抗体パターン
６ａ　カーボンパターン
６ｂ　導体パターン
７　導電パターン
８　スペーサ部材
９　板バネ
２１　フレーム
２２　操作軸
２３　第１の回動部材
２４　第２の回動部材
【図１】
2004111346.tif 000003
【図２】
2004111346.tif 000004
【図３】
2004111346.tif 000005
【図４】
2004111346.tif 000006
【図５】
2004111346.tif 000007
【図６】
2004111346.tif 000008
【図７】
2004111346.tif 000009
【図８】
2004111346.tif 000010
【図９】
2004111346.tif 000011
【図１０】
2004111346.tif 000012
【図１１】
2004111346.tif 000013
【図１２】
2004111346.tif 000014
【図１３】
2004111346.tif 000015